(57)【特許請求の範囲】
【請求項１】
偶数枚の翼を等ピッチで有した流体機械のディフューザにおいて、
前記各翼の少なくとも前縁部の翼厚を交互に変化させ、
前記翼厚の薄い翼の前縁を翼厚の厚い翼の前縁より流体流れの上流側へ配置した
ことを特徴とする流体機械のディフューザ構造。
【請求項２】
前記各翼は、それぞれ翼高さが等しいことを特徴とする請求項１に記載の流体機械のディフューザ構造。
【請求項３】
前記各翼の翼厚に相当する流路面積減少分を相殺するように各翼の前縁近傍から流路面積を拡大させたことを特徴とする請求項１または請求項２に記載の流体機械のディフューザ構造。
【請求項４】
前記流路面積は各翼に沿って部分的に拡大させたことを特徴とする請求項３に記載の流体機械のディフューザ構造。
【請求項５】
前記流路面積は各翼の後縁近傍で縮小させたことを特徴とする請求項３または請求項４に記載の流体機械のディフューザ構造
【発明の詳細な説明】
【技術分野】
【０００１】
本発明は、例えばポンプ・ポンプ水車等流体機械のディフューザ（流路）構造に関する。
【背景技術】
【０００２】
一般に、ポンプ・ポンプ水車等流体（液体）機械において、ミニフロー（低流量域）運転時には、図８に示す流量-揚程特性曲線において右上がり特性部分（図中のＩｒで示す領域参照）を持つ場合があることは良く知られている（非特許文献１参照）。
【０００３】
この右上がり特性部分の領域では、ポンプ特性が不安定特性となり、逆流や振動等が生起されてポンプ運転が不可能となる。この右上がり特性部分の原因として、さまざまな要因が考えられるが、その一つにインペラを出た流れの速度ヘッドを有効に圧力ヘッドに変換させるためのディフューザ（特許文献１におけるポンプ水車の場合参照）での失速により損失が急激に増加することが挙げられる。
【０００４】
即ち、図９に示すように、等翼厚の複数枚の翼（ガイドベーン）１０１がインペラの外周に等ピッチで配列されたディフューザ１００において、各翼間流路で均一に剥離が発生する（図中渦巻き形状参照）ため、損失が急激に増加して右上がり特性部分が発生するのである。
【先行技術文献】
【特許文献】
【０００５】
【特許文献１】特開２００４−１５６５８７号公報（図１）
【非特許文献】
【０００６】
【非特許文献１】機械工学便覧 応用編 Ｂ５ 流体機械（２３頁、図２３） 昭和６１年７月１０日発行 社団法人日本機械学会
【発明の概要】
【発明が解決しようとする課題】
【０００７】
従来のディフューザ１００にあっては、各翼１０１が等厚であるため、前述したように低流量特性が悪化するという問題点の他に、ある過渡的じょう乱によりある特定の翼１０１で失速が発生するとその隣の翼１０１に影響が伝播していき旋回失速が発生しやすいという問題点や翼厚が厚くなればなるほど衝突損失も増大するという問題点もあった。
【０００８】
そこで、本発明は、低流量特性を簡単な構造変更で効果的に改善することができると共に旋回失速の抑制や衝突損失の低減も併せて図ることができる流体機械のディフューザ構造を提供することを目的とする。
【課題を解決するための手段】
【０００９】
斯かる目的を達成するための本発明に係る流体機械のディフューザ構造は、
偶数枚の翼を等ピッチで有した流体機械のディフューザにおいて、
前記各翼の少なくとも前縁部の翼厚を交互に変化させた、
前記翼厚の薄い翼の前縁を翼厚の厚い翼の前縁より流体流れの上流側へ配置した
ことを特徴とする。
また、
前記各翼は、それぞれ翼高さが等しいことを特徴とする。
【００１１】
また、
前記各翼の翼厚に相当する流路面積減少分を相殺するように各翼の前縁近傍から流路面積を拡大させたことを特徴とする。
【００１２】
また、
前記流路面積は各翼に沿って部分的に拡大させたことを特徴とする。
【００１３】
また、
前記流路面積は各翼の後縁近傍で縮小させたことを特徴とする。
【発明の効果】
【００１４】
本発明に係る流体機械のディフューザ構造によれば、各翼の少なくとも前縁部の翼厚を交互に変化させたので、インシデンス変化に対する感度が大きい翼厚の薄い翼から先に剥離が生じて損失が増大し、一部の流量が翼厚の厚い翼の翼間流路に流入することから、翼厚の厚い翼の剥離が抑制され、損失の発生が緩やかになる。これにより、ポンプ等流体機械全体として右上がり特性部分の発生が抑制され、低流量特性が簡単な構造変更で効果的に改善される。
【００１５】
また、翼厚が異なる場合は予め隣接する翼での分布が大きいため、多少の過渡的じょう乱では旋回失速が誘発されないと共に、翼厚の薄い翼の存在により衝突損失も低減される。
【図面の簡単な説明】
【００１６】
【図１】本発明の実施例１を示すディフューザの翼列を二次元的に示した図である。
【図２】本発明の実施例２を示すディフューザの翼列を二次元的に示した図である。
【図３】本発明の実施例３を示すディフューザの側断面図である。
【図４】本発明の実施例４を示すディフューザの説明図であり、同図(ａ)は側断面図で、同図(ｂ)は正断面図である。
【図５】本発明の実施例５を示すディフューザの側断面図である。
【図６】遠心ポンプの側断面図である。
【図７】軸流ポンプの側断面図である。
【図８】ポンプの流量-揚程特性曲線である。
【図９】従来のディフューザの翼列を二次元的に示した図である。
【発明を実施するための形態】
【００１７】
以下、本発明に係る流体機械のディフューザ構造を実施例により図面を用いて詳細に説明する。
【実施例１】
【００１８】
図１は本発明の実施例１を示すディフューザの翼列を二次元的に示した図、図６は遠心ポンプの側断面図、図７は軸流ポンプの側断面図である。
【００１９】
本発明のディフューザ構造は、例えば遠心ポンプや軸流ポンプ等の流体（液体）機械のディフューザに適用されるものである。
【００２０】
即ち、遠心ポンプは、図６に示すように、ケーシング１０と複数枚の翼（ガイドベーン）１１を有したディフューザ１２とインペラ（ランナー）１３と吸込み管１４と回転軸１５と電動機１６とを備え、電動機１６で回転軸１５を介してインペラ１３回転されると、吸込み管１４より流入した水（流体）がインペラ１３及びディフューザ１２を通り昇圧されてケーシング１０より外部へ排出されるようになっている。
【００２１】
また、軸流ポンプは、図７に示すように、ケーシング１０と複数枚の翼（ガイドベーン）１１を有したディフューザ１２とインペラ（ランナー）１３と回転軸１５と電動機１６とを備え、電動機１６で回転軸１５を介してインペラ１３回転されると、ケーシング１０内に流入した水（流体）がインペラ１３及びディフューザ１２を通り昇圧されてケーシング１０外へ排出されるようになっている。
【００２２】
そして、本実施例では、図１に示すように、上述した各種ポンプにおいて、偶数枚の翼１１を等ピッチで有したディフューザ１２において、前記各翼１１の全体（少なくとも前縁部でも良い）の翼厚を交互に変化させている。図示例では、６枚の翼１１ａ〜１１ｆの内、１枚目と３枚目と５枚目の翼１１ａ，１１ｃ，１１ｅの翼厚が等しく（等しくなくても良い）厚く、２枚目と４枚目と６枚目の翼１１ｂ，１１ｄ，１１ｆの翼厚が、１枚目と３枚目と５枚目の翼１１ａ，１１ｃ，１１ｅよりも等しく（等しくなくても良い）薄いものとなっている。
【００２３】
このように各翼１１の翼厚を交互に変化させたので、インシデンス変化に対する感度が大きい翼厚の薄い翼１１ｂ，１１ｄ，１１ｆから先に剥離が生じて（図中渦巻き形状参照）損失が増大し、一部の流量が翼厚の厚い翼１１ａ，１１ｃ，１１ｅの翼間流路に流入する（図中矢印参照）ことから、翼厚の厚い翼１１ａ，１１ｃ，１１ｅの剥離が抑制され、損失の発生が緩やかになる。これにより、ポンプ全体として、図８に示す流量-揚程特性曲線において右上がり特性部分（Ｉｒ）の発生が抑制され、低流量特性が簡単な構造変更で効果的に改善される。
【００２４】
また、各翼１１がすべて等厚の場合、ある過渡的じょう乱によりある特定の翼１１で失速が発生するとその隣の翼１１に影響が伝播していき旋回失速が発生しやすいが、本実施例のように、翼厚が異なる場合は予め隣接する翼１１での分布が大きいため、多少の過渡的じょう乱では旋回失速が誘発されないという利点がある。更に、翼厚の薄い翼１１ｂ，１１ｄ，１１ｆの存在により衝突損失も低減されるという利点もある。
【実施例２】
【００２５】
図２は本発明の実施例２を示すディフューザの翼列を二次元的に示した図である。
【００２６】
これは、実施例１におけるディフューザ１２の各翼１１において、翼厚の薄い翼１１ｂ，１１ｄ，１１ｆの前縁を翼厚の厚い翼１１ａ，１１ｃ，１１ｅの前縁より流体流れ（図中矢印参照）の上流側へ配置した例である。その伸び出し量Ｌは、設計点性能に影響を及ぼさない程度が望ましいため、各翼１１のピッチＰ間距離の５％以内が好適である。また、翼厚の薄い翼１１ｂ，１１ｄ，１１ｆの後縁と翼厚の厚い翼１１ａ，１１ｃ，１１ｅの後縁は、定格運転時のポンプ性能に影響を及ぼさないように一致されている。
【００２７】
この実施例によれば、ディフューザ前縁での翼枚数が減少したことにより、伸び出した翼厚の薄い翼１１ｂ，１１ｄ，１１ｆの前縁近傍での翼負荷が増加し剥離がより発生しやすくなり、実施例１と同様の作用効果が得られる。また、本実施例は、強度上あまり翼厚を薄くできないような状況下では、翼厚を薄くして剥離を誘起させる場合の補助手段として有効である。
【実施例３】
【００２８】
図３は本発明の実施例３を示すディフューザの側断面図である。
【００２９】
これは、実施例１におけるディフューザ１２において、各翼１１の翼厚に相当する流路面積減少分を相殺するように各翼１１の前縁近傍から流路面積を拡大した例である。即ち、ケーシング１０（又はシュラウド）における子午面形状を各翼１１の前縁近傍において回転軸１５中心からの距離ｄ1を距離ｄ2に拡大して流路拡大部１０ａを設けたのである。
【００３０】
この実施例によれば、実施例１及び２と同様の作用効果に加えて、ディフューザ前縁での流速の増加（翼のブロッケージによる）を最小限に抑えることができ、衝突損失をより一層低減することができるという利点が得られる。即ち、従来形状では、翼前後の子午面を滑らかに変化させていたため、構造物による流路面積の減少により、翼の前縁近傍で流速が増加され衝突損失が発生していたのであるが、本実施例ではそれが改善されるのである。
【実施例４】
【００３１】
図４は本発明の実施例４を示すディフューザの説明図であり、同図(ａ)は側断面図で、同図(ｂ)は正断面図である。
【００３２】
これは、実施例３と同様に、翼のブロッケージによる流速増加は、実際には流路全体で生じるのではなく翼近傍で生じる現象であることに鑑み、図中に示すケーシング１０における流路拡大部１０ｂと回転軸１５における流路拡大部１５ａのように、ディフューザ１２における流路面積を各翼１１に沿って部分的に拡大させた例である。
【００３３】
この実施例によれば、実施例１及び２と同様の作用効果に加えて、ディフューザ前縁での流速の増加（翼のブロッケージによる）を最小限に抑えることができ、衝突損失をより一層低減することができるという利点が得られる。
【実施例５】
【００３４】
図５は本発明の実施例５を示すディフューザの側断面図である。
【００３５】
これは、実施例３（及び４）におけるディフューザ１２での流路拡大部１０ａ（１０ｂ）を各翼１１の後縁近傍で、回転軸１５中心からの距離ｄ2から距離ｄ1に減少させて縮小した例である。
【００３６】
この実施例によれば、実施例３及び４と同様の作用効果に加えて、ディフューザ後縁では流路面積を減少させることで流速の減少を低減させることができ、混合損失を低減することができるという利点が得られる。
【００３７】
尚、本発明は上記各実施例に限定されず、本発明の要旨を逸脱しない範囲で翼の形状、寸法変更や流路拡大部の形状、寸法変更等各種変更が可能であることはいうまでもない。
【産業上の利用可能性】
【００３８】
本発明に係る流体機械のディフューザ構造は、ポンプ・ポンプ水車に限らず、その他の流体（空気）機械に適用すると好適である。
【符号の説明】
【００３９】
１０  ケーシング
１０ａ，１０ｂ  流路拡大部
１１，１１ａ〜１１ｆ  翼（ガイドベーン）
１２  ディフューザ
１３  インペラ（ランナー）
１４  吸込み管
１５  回転軸
１５ａ  流路拡大部
１６  電動機
【図１】
0005843445.tif 000002
【図２】
0005843445.tif 000003
【図３】
0005843445.tif 000004
【図４】
0005843445.tif 000005
【図５】
0005843445.tif 000006
【図６】
0005843445.tif 000007
【図７】
0005843445.tif 000008
【図８】
0005843445.tif 000009
【図９】
0005843445.tif 000010